(57)【要約】  【課題】冷蔵庫の貯蔵室内への熱侵入量を増加させること無く貯蔵室空間を拡大するものである。  【解決手段】断熱箱体１０１は外箱１０２と内箱１０３との間に発泡断熱体を充填し発泡断熱体１０４を構成したものであり、断熱箱体１０１の背面下部に下部凹み部１３０を形成し、下部凹み部１３０の両側面には発泡断熱体１０４を覆うように備えたので、断熱箱体１０１の構造強度を向上させたうえ、変形や波打ちなどを抑制し側面外観品位を向上させることができる断熱箱体を提供できるものである。【選択図】図２
2008095985.tif 000002
【特許請求の範囲】
【請求項１】
外箱と内箱と発泡充填された断熱体から構成される断熱箱体を備え、前記断熱箱体の背面下部に部品収納スペースを設け、前記部品収納スペースの側面部が前記断熱体で充填されたことを特徴とする冷蔵庫。
【請求項２】
部品収納スペースの下部に断熱体が発泡充填されたことを特徴とする請求項１に記載の冷蔵庫。
【請求項３】
部品収納スペースの側面部の発泡充填された断熱体厚みが前記部品収納スペースの上部及び奥部の断熱体厚みよりも薄く構成されたことを特徴とする請求項１または２に記載の冷蔵庫。
【請求項４】
部品収納スペースの左右両側面部の発泡充填された断熱体下部に移動用のキャスターを配置したことを特徴とする請求項１から３のいずれか一項に記載の冷蔵庫。
【請求項５】
部品収納スペースには内箱内部と連通した排水経路と前記排水経路の下方に位置する蒸発皿と除霜水加熱手段とを備えたことを特徴とする請求項１から４のいずれか一項に記載の冷蔵庫。
【請求項６】
断熱箱体は内部を複数の断熱区画に分割する断熱バリアを備え、最下段区画より高い背面位置に部品収納スペースを設けたことを特徴とする請求項１から５のいずれか一項に記載の冷蔵庫。
【請求項７】
冷蔵庫の冷凍サイクルを形成する圧縮機を断熱箱体上部に備えた請求項１から６のいずれか一項に記載の冷蔵庫。
【請求項８】
部品収納スペースの側面に真空断熱材の一部を配設したことを特徴とする請求項１から７のいずれか一項に記載の冷蔵庫。
【発明の詳細な説明】
【技術分野】
【０００１】
本発明は、冷蔵庫の断熱箱体の構造に関するものである。
【背景技術】
【０００２】
冷蔵庫は庫内を低温に維持するために断熱性の高い構造体となっている。現在ではほとんどの冷蔵庫が形状の自由度や高断熱性といった観点から硬質発泡ポリウレタンフォームを断熱材に用いている。また、庫内を低温に冷却するために用いられる、たとえば蒸気圧縮式冷凍サイクルのような冷却手段を構造体に組み込んでおり、庫内側には吸熱する機器を配置し、庫外側には放熱する機器や除霜水の蒸発手段などが配置されている（例えば、特許文献１参照）。
【０００３】
以下、図面を参照しながら、上記従来の冷蔵庫について説明する。
【０００４】
図９は、従来の冷蔵庫の背面斜視図である。図９に示すように断熱箱体１は外箱２と内箱（図示せず）とでシールされた空間部に発泡充填された硬質ポリウレタンフォームなどの断熱体（図示せず）とで構成されており、内部は冷凍や冷蔵や野菜などの収納品に応じた温度設定がなされた複数の区画に分割されている。各区画は前面が開口されており、開閉可能な断熱扉５で収納品の出し入れが可能となっている。
【０００５】
断熱体を発泡充填させることで、断熱箱体１の気密性を高めて断熱性能を向上させるとともに、断熱箱体１の構造強度を向上させることができるので、外箱２を比較的強度の低い薄肉鋼板で構成することや、内箱（図示せず）を比較的強度の低いＡＢＳなどの樹脂を真空成型などの工法で薄肉構成することが可能となる。
【０００６】
また、断熱箱体１庫内を冷却するために圧縮機６と凝縮器（図示せず）と減圧器（図示せず）と蒸発器（図示せず）とを環状に接続し、内部に冷媒を封入してなる冷凍サイクルを備えてある。吸熱を行う蒸発器（図示せず）は断熱箱体１庫内側に配置され、放熱を行う圧縮機６と凝縮器（図示せず）は断熱箱体１庫外側に配置され、内部封入した冷媒による熱搬送で庫内の熱を庫外に放出して冷却を行うものである。
【０００７】
圧縮機６は断熱箱体１の背面下方に設けた機械室７内に配設されており、機械室７は側面８を断熱箱体１の側板と一体のパネルで構成され、背面は放熱可能に開放されている。また、機械室７は背面を開口部を有するカバーで覆われ電動ファン（図示せず）により強制放熱している場合もある。
【０００８】
また、冷却に伴い庫内空気の絶対湿度差から発生する霜をヒーター（図示せず）などで自動に霜取りする機能を有する場合には除霜水を断熱箱体１庫外に排水して圧縮機６の上部に設けた蒸発皿（図示せず）などで強制的に大気蒸発を促進させている。
【特許文献１】特開２００２−１６２１５８号公報
【発明の開示】
【発明が解決しようとする課題】
【０００９】
しかしながら、上記従来の構成では、断熱箱体１の構造強度を主として支える発泡充填された断熱体が断熱箱体１の背面下方部に充填されないので、側板に大きな強度差が生じている。強度差が生じている部位には応力集中するので、変形を生じやすく、さらに断熱箱体１の下方で変形が生じると全体の上部は大きく変位するために、影響が大きく、外観の品位低下や断熱扉５のズレなどの問題があった。
【００１０】
さらにまた、側面のパネルに発泡充填される部位とされない部位があるので、発泡充填加工時に側面パネルにかかる温度、荷重に差異が生じるので、側面のパネルの平面度が悪化し外観品位が低下する問題があった。
【００１１】
また、基本の断熱体厚みを減少させ、内容積を向上させたものは内容積が増えて耐荷重がより必要になるにも関わらず、基本的な強度は低下する方向であり、より課題が大きいものとなる。
【００１２】
本発明は上記従来の課題を解決するものであり、断熱箱体１の構造強度を向上させて外観品位を向上させる冷蔵庫を提供することを目的とする。
【課題を解決するための手段】
【００１３】
上記従来の課題を解決するために、本発明の冷蔵庫は、外箱と内箱と発泡充填された断熱体から構成される断熱箱体を備え、前記断熱箱体の背面下部に部品収納スペースを設け、前記部品収納スペースの側面部に前記断熱体が発泡充填されたことを特徴としている。
【００１４】
これによって断熱体が前記断熱箱体の側面上部から下部まで発泡充填されるので側壁面の構造強度を向上させることができる。
【００１５】
また、前記断熱箱体の側面を一様に発泡充填させることができるので、発泡充填加工時に側面に温度や圧力の大きな分布を生じさせることがなく、側面の平面度を阻害させることがない。
【発明の効果】
【００１６】
本発明の冷蔵庫は、断熱箱体下方部で構造強度の比較的弱い部位を作ることなく、側壁面の構造強度を確保することができるので外観変形が少なく、ドアの隙間ズレや外観の変形などが生じにくい外観品位の良好な冷蔵庫を提供できる。
【発明を実施するための最良の形態】
【００１７】
請求項１に記載の発明は、外箱と内箱と発泡充填された断熱体から構成される断熱箱体を備え、前記断熱箱体の背面下部に部品収納スペースを設け、前記部品収納スペースの側面部が前記断熱体で充填されたことを特徴とする。
【００１８】
これによって、前記断熱体が前記断熱箱体の側面上部から下部まで発泡充填されるので側壁面の構造強度を向上させることができる。
【００１９】
また、前記断熱箱体の側面を一様に発泡充填させることができるので、発泡充填加工時に側面に温度や圧力の大きな分布を生じさせることがなく、側面の平面度を阻害させることがないので、外観品位を変形の少ない高品位なものとすることができる。
【００２０】
請求項２に記載の発明は、請求項１に記載の発明において、部品収納スペースの下部に断熱体が発泡充填されたことを特徴とするので、断熱箱体底面を全面一体の発泡断熱体で構成できるので、構造強度が大きく異なる部位を作らないので応力集中により構造強度が低下することを防止できる。
【００２１】
請求項３に記載の発明は、請求項１または２に記載の発明において、部品収納スペースの側面部の発泡充填された断熱体厚みが前記部品収納スペースの上部及び奥部の断熱体厚みよりも薄く構成されたことを特徴とするので、比較的断熱体体積の小さい前記部品収納部の側面よりも、比較的断熱体体積の大きい前記部品収納スペース上部及び奥部の発泡充填流路が確保されるので発泡充填性が向上する。これによって、ボイドなどの発生を防止して高品質の断熱体を成形することができる。
【００２２】
請求項４に記載の発明は、請求項１から３のいずれか一項に記載の発明において、部品収納スペースの左右両側面部の発泡充填された断熱体下部に移動用のキャスターを配置したことを特徴とするので、キャスターの保持強度を確保することで構造強度を向上可能である。
【００２３】
請求項５に記載の発明は、請求項１から４のいずれか一項に記載の発明において、部品収納スペースには内箱内部と連通した排水経路と前記排水経路の下方に位置する除霜水受け皿と除霜水蒸発手段とを備えたことを特徴とするので、前記部品収納スペースの断熱性を向上させて温度低下を防止し、除霜水の水温を上昇させて蒸発を促進することができるので、除霜水蒸発の効率化と小型化を可能とする。
【００２４】
請求項６に記載の発明は、請求項１から５のいずれか一項に記載の発明において、部品収納スペースの側面に真空断熱材の一部を配設したことを特徴とするので、より断熱性を向上させること、及び複数の静音化材料を複層させることで広い周波数範囲で静音化を実現すること、及び比較的高密度の真空断熱材を貼り付けることで構造強度を補強することが可能となる。
【００２５】
請求項７に記載の発明は、請求項１から６のいずれか一項に記載の発明において、冷蔵庫の冷凍サイクルを形成する圧縮機を断熱箱体上部に備えたものであり、断熱箱体の構造強度が高いレベルで必要となるので、発泡断熱体を厚く構成して内容積を減少させたり、外箱の鋼板板厚を増加して、コストアップや重量アップとなるのを防止することができ、より効果が大きいものとなる。
【００２６】
請求項８に記載の発明は、請求項１から７のいずれか一項に記載の発明において、部品収納スペースの側面に真空断熱材の一部を配設したものであり、長方形の真空断熱材を側面いっぱいに貼り付けることができ、省エネ性を向上させることが可能であり、もしくは発泡断熱体を薄肉化して内容積を拡大することが可能である。さらに、側面に真空断熱材貼り付け部と発泡断熱体との境を断熱箱体の端部にすることができるので収縮差などによる変形が生じても目立たなくすることができる。
【００２７】
以下、本発明の実施の形態について、図面を参照しながら説明する。なお、この実施の形態によってこの発明が限定されるものではない。
【００２８】
（実施の形態１）
図１は、本発明の実施の形態１における冷蔵庫の概略断面図、図２は冷蔵庫の概略背面図、図３は冷蔵庫の要部概略平面図を示すものである。なお、背景技術と同一構成については同一符号を付す。
【００２９】
図１から図３において、断熱箱体１０１は金属材料で構成された外箱１０２内に所定の空間を形成するようＡＢＳなどの樹脂体を真空成型した内箱１０３を取り付け、発泡断熱体１０４を空間内に注入してある。発泡断熱体１０４はたとえば硬質ウレタンフォームやフェノールフォームやスチレンフォームなどが用いられる。発泡材としてはハイドロカーボン系のシクロペンタンを用いると、温暖化防止の観点で特によい。
【００３０】
断熱箱体１０１は５つの断熱区画に区分されており、各断熱区画に少なくともひとつの断熱扉１０６がガスケット１０７を介して開閉自在に設けられ、収納品の出し入れに利用される。断熱扉１０６は上部断熱区画の扉を回転扉式、下部断熱区画の扉を引出し式とする構成をとってある。
【００３１】
断熱区画は最上部から冷蔵室１０８、並べて設けた引出し式の切替室１０９と製氷室１１０、引出し式の野菜室１１１、最下部に引出し式の冷凍室１１２となっている。
【００３２】
冷蔵室１０８には、断熱扉１０６に扉ポケット１１３が収納スペースとして設けられており、庫内には複数の収納棚１１４が設けられてある。また庫内最下部には貯蔵ケース１１５が設けてある。
【００３３】
切替室１０９はユーザーの設定により温度設定が変更可能な貯蔵室であり、冷凍温度から冷蔵、野菜温度まで所定の温度設定とすることができる。また、製氷室１１０は独立の氷保存室であり、自動製氷装置（図示せず）を備えて、氷を自動的に作製、貯留するものである。氷を保存するために冷凍温度の設定であるが、氷の保存が目的であるために冷凍温度よりも比較的高い冷凍温度設定も可能である。
【００３４】
冷蔵室１０８は冷蔵保存用途のために食品が凍らない温度を下限に通常１〜５℃で設定されている。また、貯蔵ケース１１５は肉魚などの保鮮性向上のため冷蔵室１０８の中でも比較的低めの温度、たとえば−３〜１℃で設定される場合がある。野菜室１１１は凍らない低温にするほど葉野菜の鮮度を長期間維持することが可能であるが、いわゆる低温障害が発生する野菜もあることから、冷蔵室１０８と同等もしくは若干高い温度設定の２℃〜７℃とすることが多い。
【００３５】
冷凍室１１２は食品の冷凍保存のために冷凍温度に設定されており、より低温のほうが食品保存性が向上するが消費電力量は増加するので、通常−２２〜−１８℃で設定されている。特に冷凍保存状態の向上や、急速凍結のために、たとえば−３０℃から−２５℃の低温で設定されることもある。
【００３６】
以上の各断熱区画の温度設定を維持するために、断熱箱体１０１には蒸気圧縮式冷凍サイクルを備えている。
【００３７】
冷凍サイクルは断熱箱体１０１の天面後方部を窪ませた上部凹み部１２１に配設した圧縮機１２２と凝縮器（図示せず）と減圧器であるキャピラリ（図示せず）と庫内背面に設けられた蒸発器１２３とを環状に接続し、内部に冷媒（図示せず）と冷凍機油（図示せず）を封入して構成されている。
【００３８】
また庫内背面には蒸発器１２３のほかに、蒸発器上方に設けられた冷却ファン１２４と冷気を各断熱区画に供給する冷却ダクト１２５と冷気供給を制御するダンパー１２６と蒸発器１２３の除霜手段であるラジアントヒーター１２７とが庫内と断熱されて配置されている。
【００３９】
蒸発器１２３は薄型のフィンコイル式熱交換器が用いられ、奥行き寸法は配管が２段構成で５０ミリから７２ミリが通常使用される。高さ方向は奥行き寸法より大きく、概ね３から８倍の２００から４００ミリとされることが多い。また、冷却ファン１２４は薄型のＢＯＸファンタイプが用いられ、薄型の蒸発器１２３の上方に奥行き方向で略同一となるように配置され、ラジアントヒーター１２７はニクロム線などのヒーター素線を内部に配設したガラス管からなり、蒸発器１２３の下方に奥行き方向で突出しないよう、幅方向と並行に設置されている。また、ラジアントヒーター１２７には除霜滴下水の水かかり防止用ヒーターカバー１２８が上方近傍に蒸発器１２３奥行き方向で突出しないように配設されており、下方部には除霜水を受けて庫外排出するための排水経路であるドレンパン１２９が配設されている。
【００４０】
また、断熱箱体１０１は背面下方部を窪ませた部品収納スペースである下部凹み部１３０を設けてあり、下部凹み部１３０は蒸発器１２３や風路を含む庫内に配置した冷凍サイクル部品の奥行き寸法と略一致するよう庫内への出っ張りを規制しているので、引出し式の庫内収納ケースがシンプルな四角形で構成でき庫内空間容積に対して効率的に容量を確保できる。
【００４１】
さらに、下部凹み部１３０は側面部１３１が発泡断熱体１０４で構成され、下方を底部材１３２で、背面をカバー部材１３３で閉空間を構成してある。また、上部凹み部１２１も下部凹み部１３０と同様に発泡断熱体１０４が両側面に充填されている。
【００４２】
下部凹み部１３０内には、蒸発器１２３の除霜時に発生する除霜水をドレンパン１２９を経由して集水する蒸発皿１３４が設けられており、蒸発皿１３４にはメンテナンスフリーで除霜水を自動蒸発させるために除霜水加熱手段である浸漬パイプ１３５が配設されている。
【００４３】
凝縮器（図示せず）は冷却ファンを用いて強制空冷してもよいし、外箱１０２の内側に熱伝導よく貼り付けられた自然空冷タイプであってもよいし、各室断熱扉体間の仕切りに配設して防滴防止を行うための高圧配管を組み合わせてもよい。
【００４４】
また、電動三方弁などの流路制御手段を用いて、区画構成や温度設定の構成に応じた複数の蒸発器を使い分けたり、複数のキャピラリを切替たり、圧縮機１２２の停止中にガスカットなどしてもよい。この電動三方弁などは部品収納スペースである下部凹み部１３０内に収納され、動作音が外部に漏洩しにくいよう配慮することができる。
【００４５】
以上のように構成された冷蔵庫について、以下その動作、作用を説明する。
【００４６】
まず、冷凍サイクルの動作について説明する。庫内の設定された温度に応じて制御手段（図示なし）からの信号により冷凍サイクルが動作して冷却運転が行われる。圧縮機１２２の動作により吐出された高温高圧の冷媒は、凝縮器（図示なし）にて放熱して凝縮液化し、キャピラリ（図示なし）で減圧されて低温低圧の液冷媒となり蒸発器１２３に至る。
【００４７】
冷却ファン１２４の動作により、庫内の空気が強制循環させられ、蒸発器１２３を通過することで熱交換し、空気が冷却され、蒸発器１２３内の冷媒は蒸発気化する。低温の空気は冷却風路１２５により各室に導入され、冷却風路１２５内に設けられたダンパー１２６で風量配分を調節する。
【００４８】
蒸発器１２３内で蒸発気化した後、冷媒は圧縮機１２２へと吸い込まれる。このようにサイクル運転を繰り返すことで庫内の冷却が行われる。
【００４９】
サイクル運転を繰り返していくと、蒸発器１２４で庫内の空気が冷却される際に着霜が進んでいく。着霜の元となる水分は断熱扉１０６の開閉による外気流入や投入食品の水分や製氷皿の水分などから供給されており、庫内容量が大きくなると着霜量も多くなる。
【００５０】
蒸発器１２４の着霜が進むと、通過空気に対して風路抵抗が大きくなるために冷却ファン１２４の風量が低下して冷却性能が低下するために、定期的な除霜を実施することが一般的である。
【００５１】
除霜は制御手段（図示せず）により、所定のタイミングで冷凍サイクルの動作を停止し、除霜手段であるラジアントヒーター１２７に通電を行い、蒸発器１２４に付着した霜を加熱融解する。融解した霜は除霜水となってドレンパン１２９に滴下する。このときヒーターカバー１２８でラジアントヒーター１２７には直接除霜水がかかることがないので、除霜水の急激な蒸発音が発生することを防止できる。
【００５２】
ドレンパン１２９は中央部に向かって傾斜が設けてあり、滴下した除霜水が中央に集まるようになっている。さらに、ドレンパンの中央部は庫外への排水管が一体で形成されており、これを伝って蒸発皿１３４へと除霜水が排出される。排出された除霜水は、少なくとも２回以上の除霜水を貯留可能な容量（１Ｌ以上）を確保した蒸発皿１３４に貯留される。
【００５３】
たとえばサーミスタなどを蒸発器１２３に取り付け、検知温度が所定の温度以上となることで判別する除霜終了検知手段（図示しない）により、除霜が終了したことを判定すると、制御手段（図示せず）により、再び冷凍サイクルの動作が行われる。冷凍サイクルが動作すると、蒸発皿１３４に設けられた浸漬パイプ１３５は冷凍サイクルの高圧配管を用いてあるので、周囲温度よりも比較的高い温度となって除霜水を加熱する。
【００５４】
除霜水は霜の融解により発生し、一部氷水の状態でドレンパン１２９に集水されているので、比較的低温の水温であり、これを加熱することで、水面外気へと蒸発が促進されていく。
【００５５】
特に、下部凹み部１３０の側面部１３１は発泡断熱体１０４が構成されているので、蒸発皿１３４を保温性が高く加熱手段である浸漬パイプ１３５による加熱量を有効に水温上昇に利用できるので、蒸発皿１３４での除霜水蒸発能力が向上する。
【００５６】
また、同等の除霜水蒸発能力であるならば、浸漬パイプ１３５の投入量を削減でき、より低コストな構成とすることができる。
【００５７】
なお、浸漬パイプ１３５を利用すると冷凍サイクルの凝縮能力向上につながり省エネ性に有利であるが、加熱手段としてヒーターを蒸発皿１３４内に直接配置したり、蒸発皿周囲に貼り付け間接的に配置したりしても同様の効果が得られる上に、配管溶接作業がなく信頼性を必要とする特殊作業を削減でき、工数削減となる。また、蒸発皿１３４周囲に間接的にヒーターを貼り付けることで、水に直接接触しないので防錆処理や防水処理コストを軽減できる。このとき蒸発皿１３４は熱伝導性の高い、たとえばアルミなどの金属で構成すると、一層の加熱効果を得ることができる。
【００５８】
また、断熱箱体１０１の構造強度を主として支える発泡断熱体１０４が側面全面に一様に充填されているので、局部的な応力集中が生じることがなく、側面変形や波打ちの生じない高位な外観品位を提供でき、構造強度も向上させることができるので断熱扉１０６のズレなどが生じることを抑制できる。
【００５９】
また、発泡断熱体１０４で構造強度を十分に確保するので、外箱１０２に利用する鋼板はより薄肉化が可能となり、通常よく利用されている０．５ミリから０．４５ミリの肉圧を０．４ミリから０．３５ミリを使用し、低コストの構成が可能となる。
【００６０】
また、基本の発泡断熱体１０４厚みを減少させ、内容積を増加させたものは耐荷重がより必要になるにも関わらず、基本的な強度は低下する方向であり、より効果が大きいものとなる。
【００６１】
さらにまた、断熱箱体１０１の天面後方部の凹み部１２１に、比較的重量物である圧縮機１２２や凝縮器（図示せず）や冷媒配管を収納することで、従来冷蔵庫下部の引き出し収納容積を削減していたスペースを有効利用する冷蔵庫においては、断熱箱体１０１の構造強度が高いレベルで必要となり、発泡断熱体１０４を厚く構成して内容積を減少させたり、外箱１０２の鋼板板厚を増加して、コストアップや重量アップとなるのを防止することができ、より効果が大きいものとなる。
【００６２】
さらに、床に対してキャスター１３６などで移動可能に支持されている冷蔵庫は、各支持点に８０キロから１００キロを超すような本体重量が集中する。キャスター１３６は剛性の高い発泡断熱体１０４で構成された側面部１３１下方に配置してあり、キャスター１３６の保持強度が十分に確保することができるので、たとえば断熱扉１０６の開閉動作により断熱箱体１０１に衝撃荷重がかかる場合など、キャスター１３６支持部への応力集中を軽減できる。
【００６３】
特に、冷蔵室１０８の断熱扉１０６は扉ポケット１１３が設けられ収納可能となっていることから、収納品により扉重量が増加することで開閉衝撃力が大きくなり、構造強度の向上は重要である。
【００６４】
更にまた上部凹み部１２１と下部凹み部１３０の両側面を発泡断熱体１０４で構成してあるので、前記断熱箱体の側面上部から下部まで全て発泡充填されるので、さらに側壁面の構造強度を向上させることができる。またさらに、発泡充填加工時に側面鋼板に温度や圧力の大きな分布を生じさせることがなく、側面の平面度を阻害させることがないので、外観を変形の少ない高品位なものとすることができる。
【００６５】
なお、上部及び下部凹み部１２１、１３０の側面の発泡断熱体１０４は充填性を向上させるために、外観に現れない面に複数の空気抜き穴（図示せず）を設けることで断熱体を一様に充填でき薄肉鋼板を用いた外箱１０２の外観品位を一層向上可能である。
【００６６】
またなお、蒸気圧縮式冷凍サイクルを用いた例で説明を行ったが、たとえば、スターリングサイクルや磁気冷凍サイクルなどで発生させた低温部をヒートパイプで庫内へと熱搬送させるものなど、蒸発器１２３が低温となり着霜が生じ、除霜水が発生するものであれば同様の効果を得ることができる。
【００６７】
また、除霜水蒸発に大きな発熱が期待できる圧縮機１２２などのモーターや高圧部を上部に配置し、蒸発皿１３４を下部に配置したレイアウトにおいては、特に効果がある。
【００６８】
（実施の形態２）
図４は、本発明の実施の形態２における冷蔵庫の要部概略断面図を示すものである。なお、背景技術と同一構成については同一符号を付す。
【００６９】
図４において、断熱箱体１０１は背面下方部を窪ませた部品収納スペースである下部凹み部１３０を設けてあり、下部凹み部１３０は蒸発器１２３や風路を含む庫内に配置した冷凍サイクル部品の奥行き寸法と略一致するよう庫内への出っ張りを規制しているので、引出し式の庫内収納ケースがシンプルな四角形で構成でき庫内空間容積に対して効率的に容量を確保できる。
【００７０】
さらに、下部凹み部１３０は側面部１３１と底面部１３７とが外箱１０２との間に発泡断熱体１０４が構成され、背面をカバー部材１３３で閉空間を構成してある。
【００７１】
下部凹み部１３０内には、蒸発器１２３の除霜時に発生する除霜水をドレンパン１２９を経由して集水する蒸発皿１３４が設けられており、蒸発皿１３４にはメンテナンスフリーで除霜水を自動蒸発させるために除霜水加熱手段である浸漬パイプ１３５が配設されている。
【００７２】
以上の構成により、除霜時に発生した除霜水をメンテナンスフリーで自動蒸発させるために、除霜後の冷凍サイクル動作時に、蒸発皿１３４に設けられた浸漬パイプ１３５が発熱して除霜水の蒸発を促進する。
【００７３】
特に、蒸発皿１３４の周囲を背面カバー部材１３３を除き発泡断熱体１０４で構成されているので、蒸発皿１３４の保温性が高く加熱手段である浸漬パイプ１３５による加熱量を有効に水温上昇に利用できるので、蒸発皿１３４での除霜水蒸発能力がさらに向上する。
【００７４】
また、同等の除霜水蒸発能力であるならば、浸漬パイプ１３５の投入量を削減でき、より低コストな構成とすることができる。
【００７５】
なお、背面カバー部材１３３はサービス面からビスなどで固定し、取り外し可能な構成としてあるが、発泡樹脂などの断熱性の高い部材を貼り付けることで、完全に蒸発皿１３４の周囲を密閉化できるので、さらに加熱効率を向上させることができる。
【００７６】
また、断熱箱体１０１は部品収納スペースである下部凹み部１３０の側面部１３１だけでなく底面部１３７も発泡断熱体１０４が充填されているので、局部的な応力集中が生じることがなく、側面変形や波打ちの生じない高位な外観品位を提供でき、構造強度も向上させることができるので断熱扉１０６のズレなどが生じることを抑制できる。
【００７７】
また、発泡断熱体１０４で底面部１３７の構造強度を十分に確保するので、外箱１０２の底部に利用する鋼板はより薄肉化が可能となり、発泡断熱体１０４を構成しない場合に用いられる１ミリから１．６ミリの鋼板から０．３ミリ程度を使用し、低コストの構成が可能となる。
【００７８】
また、基本の発泡断熱体１０４厚みを減少させ、内容積を向上させたものは内容積が増えて耐荷重がより必要になるにも関わらず、基本的な強度は低下する方向であり、より効果が大きいものとなる。
【００７９】
さらにまた、断熱箱体１０１の天面後方部の凹み部１２１に、比較的重量物である圧縮機１２２や凝縮器（図示せず）や冷媒配管を収納することで、従来冷蔵庫下部の引き出し収納容積を削減していたスペースを有効利用する冷蔵庫においては、断熱箱体１０１の構造強度が高いレベルで必要となり、発泡断熱体１０４を厚く構成して内容積を減少させたり、外箱１０２の鋼板板厚を増加して、コストアップや重量アップとなるのを防止することができ、より効果が大きいものとなる。
【００８０】
さらに、たとえば断熱扉１０６の開閉動作により断熱箱体１０１に衝撃荷重がかかる場合など、下部凹み部１３０の周囲発泡断熱体クランク形状部などへの応力集中を軽減できる。
【００８１】
特に、冷蔵室１０８の断熱扉１０６は扉ポケット１１３が設けられ収納可能となっていることから、収納品により扉重量が増加することで開閉衝撃力が大きくなり、構造強度の向上は重要である。
【００８２】
（実施の形態３）
図５は、本発明の実施の形態３における冷蔵庫の概略断面図、図６は冷蔵庫の概略背面図を示すものである。なお、背景技術と同一構成については同一符号を付す。
【００８３】
図５と図６において、断熱箱体１０１は外箱１０２と内箱１０３と、発泡断熱体を空間内に注入してなる発泡断熱体１０４で構成されている。
【００８４】
断熱箱体１０１は５つの断熱区画に区分されており、各断熱区画に少なくともひとつの断熱扉１０６がガスケット１０７を介して密閉されるよう設けられ、収納品の出し入れに利用される。断熱扉１０６は上部断熱区画の扉を回転扉式、下部断熱区画の扉を引出し式とする構成をとってある。
【００８５】
断熱区画は最上部から冷蔵室１０８、並べて設けた引出し式の切替室１０９と製氷室１１０、引出し式の野菜室１１１、最下部に引出し式の冷凍室１１２となっている。
【００８６】
冷蔵室１０８の庫内には複数の収納棚１１４が設けられてあり、庫内最下部には貯蔵ケース１１５が設けてある。
【００８７】
切替室１０９はユーザーの設定により温度設定が変更可能な貯蔵室であり、冷凍温度から冷蔵、野菜温度まで所定の温度設定とすることができる。また、製氷室１１０は独立の氷保存室であり、自動製氷装置（図示せず）を備えて、氷を自動的に作製、貯留するものである。氷を保存するための冷凍温度の設定であるが、氷の保存が目的であるために冷凍温度よりも比較的高い冷凍温度設定も可能である。
【００８８】
冷蔵室１０８は冷蔵保存用途のために食品が凍らない温度を下限に通常１〜５℃で設定されている。また、貯蔵ケース１１５は肉魚などの保鮮性向上のため冷蔵室１０８の中でも比較的低めの温度、たとえば−３〜１℃で設定される場合がある。野菜室１１１は凍らない低温にするほど葉野菜の鮮度を長期間維持することが可能であるが、いわゆる低温障害が発生する野菜もあることから、冷蔵室１０８と同等もしくは若干高い温度設定の２℃〜７℃とすることが多い。
【００８９】
冷凍室１１２は食品の冷凍保存のために冷凍温度に設定されており、より低温のほうが食品保存性が向上するが消費電力は増加するので、通常−２２〜−１８℃で設定されている。特に冷凍保存状態の向上や、急速凍結のために、たとえば−３０℃から−２５℃の低温で設定されることもある。
【００９０】
以上の各断熱区画の温度設定を維持するために、断熱箱体１０１には蒸気圧縮式冷凍サイクルを備えている。
【００９１】
冷凍サイクルは断熱箱体１０１の天面後方部を窪ませた上部凹み部１２１に配設した圧縮機１２２と凝縮器（図示せず）と減圧器であるキャピラリ（図示せず）と庫内背面に設けられた蒸発器１２３とを環状に接続し、内部に冷媒（図示せず）と冷凍機油（図示せず）を封入して構成されている。
【００９２】
また、蒸発器１２３と、蒸発器１２３上方に設けられた冷却ファン１２４と冷気を各断熱区画に供給する冷却ダクト１２５と冷気供給を制御するダンパー１２６と蒸発器１２３の除霜手段であるラジアントヒーター１２７とが、庫内と断熱されて、断熱箱体１０１の最下段の断熱区画である冷凍室１１２の上部断熱バリア１３８より上に配置されている。また、冷却ファン１２４は薄型のＢＯＸファンタイプが用いられ、ラジアントヒーター１２７はニクロム線などのヒーター素線を内部に配設したガラス管からなり、蒸発器１２３の下方に奥行き方向で突出しないよう、幅方向と並行に設置されている。また、ラジアントヒーター１２７には除霜滴下水の水かかり防止用ヒーターカバー１２８が上方近傍に蒸発器１２３奥行き方向で突出しないように配設されており、下方部には除霜水を受けて庫外排出するための排水経路であるドレンパン１２９が備えてある。
【００９３】
また、断熱箱体１０１の背面を窪ませた部品収納スペースである背面凹み部１３９が断熱バリア１３８の上部に設けられており、さらに背面凹み部１３９は蒸発器１２３や風路を含む庫内に配置した冷凍サイクル部品の下方にあり、かつ奥行き寸法と略一致するよう庫内への出っ張りを規制しているので、引出し式の庫内収納ケースがシンプルな四角形で構成でき庫内空間容積に対して効率的に容量を確保できる。
【００９４】
背面凹み部１３９は外箱１０２の背面に設けた角穴に、樹脂などで成形されたケース部材１４１嵌め込むことで構成する凹みであって、内箱１０３も同様に凹ませることで発泡断熱体１０４の充填経路を確保してある。さらにカバー部材１３３で閉空間を構成してある。
【００９５】
背面凹み部１３９内には、蒸発器１２３の除霜時に発生する除霜水をドレンパン１２９を経由して集水する蒸発皿１３４が設けられており、蒸発皿１３４にはメンテナンスフリーで除霜水を自動蒸発させるために除霜水加熱手段である浸漬パイプ１３５が配設されている。
【００９６】
以上のように構成された冷蔵庫により、最下部に部品収納スペースである背面凹み部１３９を下部に設けないので、最下部の冷凍室１１２を発泡断熱体１０４を除いた最大の内容積とすることができる。
【００９７】
また、部品収納スペースを最下部の冷凍室１１２のさらに下方に配置して冷凍室１１２の奥行きを確保する場合は、部品収納スペースの容積だけ冷凍室１１２を底上げする必要がある。引出して使用する収納室は間口高さが高くなると、収納品の出し入れが困難になってくる問題があり、高さ方向で無効なスペースを設けることは大きな設計制限となる。
【００９８】
またさらに、蒸発器１２３から除霜水を排出する排水経路を最下部の冷凍室１１２の背面に配置することがなく最小の寸法にできるので、低コストとなる上に、排水経路の凍結防止にヒーターを用いて電気代の増加となることもない。
【００９９】
さらに、上記排水経路だけでなく、冷凍サイクル部品や電線などを冷凍室１１２の背面発泡断熱体１０４中に埋設することがないので、発泡断熱体１０４の無効容積を最小にできる。
【０１００】
またさらに、構造体としても底面全体を発泡断熱体１０４で構成できるので構造強度を向上させることができる。
【０１０１】
また、断熱箱体１０１の側面は構造強度を主として支える断熱材１０４が一様に充填されているので、局部的な応力集中が生じることがなく、側面変形や波打ちの生じない高位な外観品位を提供でき、構造強度も向上させることができるので断熱扉１０６のズレなどが生じることを抑制できる。
【０１０２】
また、発泡断熱体１０４で構造強度を十分に確保するので、外箱１０２に利用する鋼板はより薄肉化が可能となり、通常よく利用されている０．５ミリから０．４５ミリの肉圧を０．４ミリから０．３５ミリを使用し、低コストの構成が可能となる。
【０１０３】
また、冷凍サイクル運転を繰り返していくと、蒸発器１２４で庫内の空気が冷却される際に着霜が進んでいく。蒸発器１２４の着霜が進むと、通過空気に対して風路抵抗が大きくなるために冷却ファン１２４の風量が低下して冷却性能が低下するので、定期的な除霜を実施することが一般的である。除霜は所定のタイミングで冷凍サイクルの動作を停止し、除霜手段であるラジアントヒーター１２７に通電を行い、蒸発器１２４に付着した霜を加熱融解して行われる。融解した霜は除霜水となってドレンパン１２９に滴下し、庫外の蒸発皿１３４へと排出される。
【０１０４】
除霜終了後、再び冷凍サイクルの動作が行われ、蒸発皿１３４に設けられた浸漬パイプ１３５が周囲温度よりも比較的高い温度となって除霜水を加熱するので、除霜水の蒸発が促進されていく。
【０１０５】
特に、背面凹み部１３９の周囲は発泡断熱体１０４が構成されているので、蒸発皿１３４を保温性が高く加熱手段である浸漬パイプ１３５による加熱量を有効に水温上昇に利用できるので、蒸発皿１３４での除霜水蒸発能力が向上する。
【０１０６】
また、同等の除霜水蒸発能力であるならば、浸漬パイプ１３５の投入量を削減でき、より低コストな構成とすることができる。
【０１０７】
（実施の形態４）
図７は、本発明の実施の形態４における冷蔵庫の要部概略平面図を示すものである。なお、背景技術と同一構成については同一符号を付す。
【０１０８】
図７において、断熱箱体１０１の背面下方部を窪ませた部品収納スペースである下部凹み部１３０を設けてあり、下部凹み部１３０は蒸発器１２３や風路を含む庫内に配置した冷凍サイクル部品の奥行き寸法と略一致するよう庫内への出っ張りを規制しているので、引出し式の庫内収納ケースがシンプルな四角形で構成でき庫内空間容積に対して効率的に容量を確保できる。
【０１０９】
さらに、下部凹み部１３０は側面部１３１が発泡断熱体１０４ａであり、この空間が冷凍室１１２背面の発泡断熱体１０４ｂや下部凹み部１３０の上下発泡断熱体（図示せず）と比べて薄くしてあるので、比較的断熱体体積の小さい下部凹み部１３０側面よりも、体積の大きい上下及び奥部の発泡充填流路が確保されるので発泡充填性が向上し、ボイドなどの発生を防止して高品質の断熱体を成形することができる。
【０１１０】
（実施の形態５）
図８は、本発明の実施の形態５における冷蔵庫の概略断面図を示すものである。なお、背景技術と同一構成については同一符号を付す。
【０１１１】
図８において、発泡断熱体１０４中には真空断熱材１４２が埋設されており、外箱１０２側にホットメルトなどの接着部材（図示せず）を用いて密着貼付けされている。真空断熱材１４２は発泡断熱体１０４内に配設するために薄い平面形状のものが必要となる。また、接着部材は接着部に空気が混入しないように真空断熱材１４２表面に全面塗布されている。真空断熱材１４２は、硬質ウレタンフォームなどの発泡断熱体１０４と比べて５倍〜２０倍の断熱性能を有しており、断熱箱体１０１の断熱性能を飛躍的に向上させるものである。
【０１１２】
さらに、断熱箱体１０１の側面に設けた真空断熱材１４２は、上部凹み部１２１と下部凹み部１３０の側面に渡って貼り付けてあるので、長方形の真空断熱材１４２を側面いっぱいに貼り付けることができ、省エネ性を向上させることが可能であり、もしくは発泡断熱体１０４を薄肉化して内容積を拡大することが可能である。さらに、側面に真空断熱材１４２貼り付け部と発泡断熱体１０４との境を断熱箱体１０１の端部にすることができるので収縮差などによる変形が生じても目立たなくすることができる。
【産業上の利用可能性】
【０１１３】
本発明の冷蔵庫は、最下段の貯蔵室の内容積と奥行きを充分に確保することに加え、冷蔵庫の構造強度を向上させた上、外観品位を向上させることができので、業務用の大型冷蔵庫および冷凍庫やショーケースといった冷凍機器にも適用できる。
【図面の簡単な説明】
【０１１４】
【図１】本発明の実施の形態１における冷蔵庫の概略断面図
【図２】本発明の実施の形態１における冷蔵庫の概略背面図
【図３】本発明の実施の形態１における冷蔵庫の要部概略平面図
【図４】本発明の実施の形態２における冷蔵庫の要部概略断面図
【図５】本発明の実施の形態３における冷蔵庫の概略断面図
【図６】本発明の実施の形態３における冷蔵庫の概略背面図
【図７】本発明の実施の形態４における冷蔵庫の要部概略平面図
【図８】本発明の実施の形態５における冷蔵庫の概略断面図
【図９】従来の冷蔵庫の背面斜視図
【符号の説明】
【０１１５】
１０１  断熱箱体
１０２  外箱
１０３  内箱
１０４，１０４ａ，１０４ｂ  発泡断熱体（断熱体）
１０６  断熱扉
１０８  冷蔵室
１０９  切替室
１１０  製氷室
１１１  野菜室
１１２  冷凍室
１２１  上部凹み部
１２２  圧縮機
１２３  蒸発器
１２４  冷却ファン
１２５  冷却ダクト
１２６  ダンパー
１２７  ラジアントヒーター（除霜手段）
１２９  ドレンパン（排水経路）
１３０  下部凹み部（部品収納スペース）
１３１  側面部
１３４  蒸発皿
１３５  浸漬パイプ（除霜水加熱手段）
１３６  キャスター
１３８  断熱バリア
１３９  背面凹み部（部品収納スペース）
１４２  真空断熱材
【図１】
2008095985.tif 000003
【図２】
2008095985.tif 000004
【図３】
2008095985.tif 000005
【図４】
2008095985.tif 000006
【図５】
2008095985.tif 000007
【図６】
2008095985.tif 000008
【図７】
2008095985.tif 000009
【図９】
2008095985.tif 000010
【図８】
2008095985.tif 000011